(57)【要約】【課題】知られている装置の問題点を回避し、且つ保守要員に対して安全度の高いエレベータ装置を提供する。【解決手段】このエレベータにおいて、偏向ローラ１６は、ケージの床内に組み込まれている。支持駆動手段は、ケージ床において床チャネルを通って案内される。保護部材として機能するカバー２３は、偏向ローラ１６に走行して入り、且つ偏向ローラ１６から走行して出る支持駆動手段を被っている。フード形カバー２３は、偏向ローラ１６の回転軸１６．１にスナップ留めされる。【選択図】      図２
2006052091.tif 000002
【特許請求の範囲】
【請求項１】
エレベータ昇降路（２）内を動くことができるエレベータケージ（３）と、釣り合いおもり（４）とからなるエレベータ（１）であり、エレベータケージ（３）と釣り合いおもり（４）が、少なくとも一つの偏向ローラ（１６、１８、２０）を通って案内される支持駆動手段（１１）によって連結され、偏向ローラ（１６、１８、２０）が、エレベータケージ（３）または釣り合いおもり（４）に組み込まれるエレベータ（１）であって、偏向ローラ（１６、１８、２０）が、偏向ローラ（１６、１８、２０）に走行して入り、且つ偏向ローラ（１６、１８、２０）から走行して出る支持駆動手段（１１）を被うカバー（２３）を有することを特徴とする、エレベータ。
【請求項２】
カバー（２３）が、偏向ローラ（１６、１８、２０）において、工具を使用しない方法で取り付けられることができることを特徴とする、請求項１に記載のエレベータ。
【請求項３】
カバー（２３）が、フード形状に構成され、且つ偏向ローラ（１６、１８、２０）の回転軸（１６．１、２０．１）に取り付けられることを特徴とする、請求項１または２のいずれか一項に記載のエレベータ。
【請求項４】
カバー（２３）が、偏向ローラ（１６、１８、２０）の支持部材（１６．２、２０．２）に配設された開口（１６．３）に嵌合するラグ（２３．１）を有することと、カバー（２３）が、偏向ローラ（１６、１８、２０）のローラ回転軸（１６．１、２０．１）に取り付けられる凹部（２３．３）を有し、凹部（２３．３）が円形であることを特徴とする、請求項１から３のいずれか一項に記載のエレベータ。
【請求項５】
ブラシ（２４）が、支持部材（１６．２、２０．２）またはカバー（２３）に設けられ、前記ブラシ（２４）が、支持駆動手段（１１）の幅にわたって少なくとも延びると共に、異物、衣服、身体部分、埃などが、偏向ローラ（１６、１８、２０）と支持駆動手段（１１）との間に挟まることを防止することを特徴とする、請求項１から４のいずれか一項に記載のエレベータ。
【請求項６】
エレベータ昇降路（２）内を動くことができるエレベータケージ（３）と、釣り合いおもり（４）とからなるエレベータ（１）の安全性を改善する方法であり、エレベータケージ（３）と釣り合いおもり（４）が、少なくとも一つの偏向ローラ（１６、１８、２０）を通って案内される支持駆動手段（１１）によって連結され、偏向ローラ（１６、１８、２０）が、エレベータケージ（３）または釣り合いおもり（４）に組み込まれる方法であって、偏向ローラ（１６、１８、２０）に走行して入り、且つ偏向ローラ（１６、１８、２０）から走行して出る支持駆動手段（１１）を被うカバー（２３）が、偏向ローラ（１６、１８、２０）に掛止されることができることを特徴とする、方法。
【請求項７】
カバー（２３）が、工具を用いない方法で偏向ローラ（１６、１８、２０）に掛止されることができることを特徴とする、請求項６に記載の方法。
【発明の詳細な説明】
【技術分野】
【０００１】
本発明は、エレベータ昇降路内を動くことができるエレベータケージと、釣り合いおもりとからなるエレベータであって、エレベータケージおよび釣り合いおもりが、複数の偏向ローラを通って案内される支持駆動手段によって連結され、複数の偏向ローラは、エレベータケージまたは釣り合いおもりに組み込まれ、駆動装置が、エレベータケージおよび釣り合いおもりを駆動する、エレベータに関する。
【背景技術】
【０００２】
２：１のケーブル案内を備えたエレベータは、欧州特許出願公開第０４００４３１１．９号によって知られているが、この出願においては、エレベータケージの偏向ローラは、ケージの床または釣り合いおもりに組み込まれている。支持駆動手段は、ケージの床で床チャネルを通って案内される。（下部ブロック）下方に配置された偏向ローラを備えた従来のケージの床と比較すると、ケージの床は、高さが全体に非常に低く、これは昇降路のピット深さに直接的な影響を及ぼしている。ケージの床によってもたらされた高さは、昇降路ピットの深さに確保されることができる。
【特許文献１】欧州特許出願公開第０４００４３１１．９号明細書
【発明の開示】
【発明が解決しようとする課題】
【０００３】
知られている装置の不利な点は、エレベータケージまたは釣り合いおもりに組み込まれる偏向ローラが、走行して入る支持駆動手段と共に、保守要員に対して大幅なリスクになっているということにある。
【課題を解決するための手段】
【０００４】
ここで本発明は、その改善策を提供する。独立請求項で特徴付けられるような本発明は、知られている装置の問題点を回避し、且つ保守要員に対して安全度の高いエレベータ装置を提供するという目的を満たす。
【０００５】
本発明の有利な展開が、従属の特許請求項に示されている。
【０００６】
本発明によって達成された利点は、本質的に、エレベータケージの偏向ローラおよび釣り合いおもりの偏向ローラが、保守要員に対して予測しない突然のリスク源にならないという点にあると理解される。偏向ローラに走行して入り、且つ偏向ローラから走行して出る支持駆動手段（ケーブル、ベルト）は、本発明による装置によって被われる。更に、本発明による装置は、例えば、過大な加速または減速が生じた場合に、支持駆動手段が偏向ローラから部分的にまたは完全に外れないようにしている。
【０００７】
更に、発明による装置は、埃および／または異物が、偏向ローラと支持駆動手段との間に挟まれないようにする。本発明による装置は、製作が安価で、簡単な方法で取り付けることができる。
【０００８】
本発明が、添付の図面に基づいてより詳しく説明される。
【発明を実施するための最良の形態】
【０００９】
符号１で示され、且つエレベータ昇降路２内を動くことできるエレベータケージ３と、釣り合いおもり４とからなるエレベータが、図１ａに示されている。エレベータケージ３は、第１の案内レール５により、且つ第２の案内レール６により案内される。釣り合いおもり４は、第３の案内レール７により、且つ第４の案内レール（図示せず）によって案内される。案内レールは、昇降路ピット８内に支持され、鉛直力が、昇降路ピット８へ伝達される。案内レール５、６、７は、ブラケット（図示せず）によって昇降路壁に連結されている。昇降路ピット８には、エレベータケージ３の緩衝板１０または釣り合いおもり４がその上に着座できる緩衝部材が配置されている。
【００１０】
２：１ベルトガイドを備えた、ベルト１１、例えばコグドベルトまたは縦リブ付きベルト（楔形リブベルト）が、支持駆動手段として設けられている。第２の案内レール６に、例えば昇降路ヘッド２．１内に設けられている機械式直線駆動装置１２が、駆動輪１１によりベルト１１を１単位長だけ進ませると、エレベータケージ３または釣り合いおもり５は、半単位長だけ移動する。ベルト１１の一端は、第１のケーブル固定点１４に配置され、ベルト１１の第２の端は、第２のケーブル固定点１５に配置される。ベルト１１は、ローラ回転軸１６．１を備えた第１の偏向ローラ１６を通り、プロファイルローラ１７を通り、ローラ回転軸１８．１を備えた第２の偏向ローラ１８を通り、第３の偏向ローラ１９を通り、駆動輪１３を通り、そして第４の偏向ローラ２０を通って案内されている。第１の偏向ローラ１６、第２の偏向ローラ１８、およびプロファイルローラ１７は、エレベータケージ３の床２１に組み込まれ、ベルトが、床チャネル２１．１を走行する。第１の偏向ローラ１６、第２の偏向ローラ１８、およびプロファイルローラ１７は、またエレベータケージ３の屋根に組み入れられることができ、ベルトが、屋根チャネルを走行する。図１ｂの実施形態の例におけるように、プロファイルローラ１７は省略してもよい。プロファイルローラ１７は、ベルト１１の歯部に対応する歯部、またはベルト１１の縦リブに対応する溝部を持っている。第１の偏向ローラ１６および第２の偏向ローラ１８は、両端面に設けられたフランジを用いて、ベルト１１を歯のない側面で案内する。第２の案内レール１６に配設された第３の偏向ローラ１９は、歯部によってベルト１１の歯付き側面に係合し、通常運転用のブレーキを有する。駆動輪１３は、その歯部によりベルト１１の歯付き側面に係合される。直線駆動装置１２の転換ローラ２２は、駆動輪１３においてベルト１１の巻き掛け角度を増大する。駆動輪１３のための単一または複数のモータは、図示されていない。第４の偏向ローラ２０は、釣り合いおもりに配置され、第１の偏向ローラ１６または第２の偏向ローラ１８と構造が似ている。
【００１１】
図１ｂに示されるように、偏向ローラ１６、１８は、略図で示されたカバー２３を各々備えている。釣り合いおもりの偏向ローラ２０も、カバー２３を備えることができる。
【００１２】
図１ｂの詳細部Ａが、図２において、カバー２３を備えた偏向ローラ１６を三次元表示で示している。ローラ回転軸１６．１は、Ｕ字形の輪郭部材１６．２として形成された支持部材によって支持されている。側方パネル２３．４のラグ２３．１が掛入している開口１６．３が、Ｕ字形の輪郭部材１６．２に設けられている。偏向ローラ１６は、リブ１６．４と溝１６．５とを有している。ベルト１１の縦リブが、リブ１６．４の間および偏向ローラ１６の溝１６．５の中を通過する。
【００１３】
図３は、第１の凹部２３．２および第２の凹部２３．３を有する、フード形カバー２３の三次元表示を示している。第１の凹部２３．２は、支持駆動手段１１の出入りに役立つ。カバー２３は、第２の凹部２３．３によってローラ回転軸１６．１に嵌合する。第２の凹部２３．３は円形であり、円弧部２３．３１が、１８０°を超えて回転軸１６．１を囲んでいる。工具を用いない方法で取り付けるために、カバー２３は、図５によるラグ２３．１において、Ｕ字形輪郭部材１６．２の開口１６．３の中へ導入され、回転運動によってローラ回転軸１６．１へ弾性的に掛止される。ローラ回転軸１６．１においてカバー２３を取り付けることによって、偏向ローラ１６、１８、２０に対する、または支持駆動手段１１に対するカバー２３の正確な間隔が、全ての場合において保証される。
【００１４】
図４は、ローラ回転軸１６．１に対して直角な断面を示している。側方パネル２３．４の円弧部は、１８０°より大きい角度で回転軸１６．１を取り囲んでおり、ローラ回転軸１６．１に対するカバー２３の弾性掛止を確実にしている。符号２４で示されたブラシ２４は、異物、衣服、身体部分、または埃などが、偏向ローラ１６、１８、２０と支持駆動手段１１との間に入らないようにしている。支持駆動手段１１の全幅を少なくとも越えて延びるブラシ２４が、カバー２３に、または支持部材１６．２に配設されることができる。
【００１５】
図５は、Ｕ字形輪郭部材１６．２の開口１６．３内に、ラグ２３．１を導入して掛止する状態を示している。ラグ２３．１が、開口１６．３内へ導入される状態が破線によって示されている。開口１６．３は、端部において、側方パネル２３．４のばね作用の影響を受けて、ラグ２３．１が動く拡大部を持っている。矢印Ｐ１は、ラグ２３．１を導入して掛止する過程を象徴的に表している。
【００１６】
図６は、釣り合いおもり４のフード形カバー２３を備えている、偏向ローラ２０を示し、偏向ローラ２０が、釣り合いおもり４のヨーク４．１に配置されている。偏向ローラ２０を通って案内される二重案内ベルト１１が、支持駆動手段として備えられている。ローラ回転軸２０．１およびブラケット２５が、ヨーク４．１に設けられた支持部材２０．２によって支持されている。それぞれのカバー２３が、各ローラ２０のために設けられ、カバー２３の側方パネル２３．４の円弧部は、１８０°より大きい角度でローラ回転軸２０．１を取り囲んでいる。側方パネル２３．４の端部に、支持部材２０．２の凹部に入り込むラグを備えている。カバー２３は工具を使用しない方法で取り付けられ、ブラケット２５を用いて固定される。
【００１７】
カバー２３は、また、軌道を跳び出ることを防止する保護部材として機能する。縦リブのピッチの半分だけ変位されたベルト１１が、側方パネル２３．４を擦り、これによって元の位置へ強制的に戻される。弛んだベルト１１は、本発明によるカバー２３のおかげで、ローラ溝１６．５から外れることができない。
【００１８】
取り付け状態で、機械的応力を受けているカバー２３は、如何なるガラガラ音を出すこともない。カバー２３は、簡単な方法でローラ回転軸１６．１に中心合わせされることができる。側方パネル２３が円弧部２３．３１に嵌合する溝を、また、ローラ回転軸１６．１、２０．１に設けることができる。
【図面の簡単な説明】
【００１９】
【図１ａ】エレベータケージの床内に組み込まれた偏向ローラを備えるエレベータを示す図である。
【図１ｂ】偏向ローラと本発明による装置とを備えるケージの床を示す図である。
【図２】本発明による装置を備える偏向ローラを示す図である。
【図３】カバーの三次元表示を示す図である。
【図４】偏向ローラの回転軸に対して垂直な断面を示す図である。
【図５】カバーの詳細を示す図である。
【図６】釣り合いおもりのカバーを備える、偏向ローラを示す図である。
【符号の説明】
【００２０】
１  エレベータ
２  昇降路
２．１  昇降路ヘッド
３  エレベータケージ
４  釣り合いおもり
４．１  ヨーク
５  第１の案内レール
６  第２の案内レール
７  第３の案内レール
８  昇降路ピット
１０  緩衝板
１１  ベルト
１２  直線駆動装置
１３  駆動輪
１４  第１のケーブル固定点
１５  第２のケーブル固定点
１６  第１の偏向ローラ
１６．１、１８．１  ローラ回転軸
１６．２  Ｕ字形の輪郭部材
１６．３  開口
１６．４  リブ
１６．５  溝
１７  プロファイルローラ
１８  第２の偏向ローラ
１９  第３の偏向ローラ
２０  第４の偏向ローラ
２０．２  支持部材
２１  床
２１．１  床チャネル
２２  転換ローラ
２３  フード形カバー
２３．１  ラグ
２３．２  第１の凹部
２３．３  第２の凹部
２３．３１  円弧部
２３．４  側方パネル
２５  ブラケット
【図１ａ】
2006052091.tif 000003
【図１ｂ】
2006052091.tif 000004
【図２】
2006052091.tif 000005
【図３】
2006052091.tif 000006
【図４】
2006052091.tif 000007
【図５】
2006052091.tif 000008
【図６】
2006052091.tif 000009
【外国語明細書】
2006052091.tif 000010
2006052091.tif 000011
2006052091.tif 000012
2006052091.tif 000013
2006052091.tif 000014
2006052091.tif 000015
2006052091.tif 000016
2006052091.tif 000017
2006052091.tif 000018
2006052091.tif 000019
2006052091.tif 000020
2006052091.tif 000021
2006052091.tif 000022
2006052091.tif 000023
2006052091.tif 000024